【手続補正書】
【提出日】平成16年10月22日(2004.10.22)
【手続補正１】
【補正対象書類名】明細書
【補正対象項目名】発明の名称
【補正方法】変更
【補正の内容】
【発明の名称】画像処理装置、画像形成装置、画像出力システム及び画像処理方法
【手続補正２】
【補正対象書類名】明細書
【補正対象項目名】特許請求の範囲
【補正方法】変更
【補正の内容】
【特許請求の範囲】
【請求項１】
画像データのソースパターンをマスクパターンでマスク演算する画像処理装置において、
前記ソースパターンとマスクパターンをマスク演算したパターンにおけるビットＯＮ画素数が最大になるような前記マスクパターンの開始位置を計算する手段と、
前記計算された開始位置にずらしたマスクパターンと前記ソースパターンとをマスク演算する手段と
を有する画像処理装置。
【請求項２】
画像データのソースパターンをマスクパターンでマスク演算する画像処理装置において、
前記ソースマップパターンとマスクパターンをマスク演算したパターンにおける濃度と、描画命令で指定された濃度との差分が最小になるようなマスクパターンの開始位置を計算する手段と、
前記計算された開始位置にずらしたマスクパターンと前記ソースパターンとをマスク演算する手段と
を有する画像処理装置。
【請求項３】
複数種類のマスクパターンの各々毎に前記マスクパターンの開始位置を予め計算してそれぞれをマスクパターンＩＤと対応してテーブルに記憶し、
指定されたマスクパターンＩＤに対応するマスクパターンの開始位置を前記テーブルから検索し、その開始位置にずらしたマスクパターンと前記ソースパターンとをマスク演算することを特徴とする請求項１または２記載の画像処理装置。
【請求項４】
指定されたマスクパターンＩＤを前記テーブルから検索して存在しなかった場合にそのマスクパターンの前記開始位置を新たに計算し、前記テーブルに空き領域がないときには前記テーブル上の既存のデータを削除してその空いた領域に記憶することを特徴とする請求項３記載の画像処理装置。
【請求項５】
前記テーブル上の既存のデータを削除する場合、最後に参照された時刻が最も古いデータを削除することを特徴とする請求項４記載の画像処理装置。
【請求項６】
前記テーブル上の既存のデータを削除する場合、最も使用頻度が少ないデータを削除することを特徴とする請求項４記載の画像処理装置。
【請求項７】
複数種類のマスクパターンの内、代表的なマスクパターンの各々毎に前記マスクパターンの開始位置を予め計算してそれぞれをマスクパターンＩＤと対応してテーブルに記憶することを特徴とする請求項３ないし６のいずれか１項に記載の画像処理装置。
【請求項８】
前記代表的なマスクパターンの開始位置を計算するタイミングは、起動時であることを特徴とする請求項７記載の画像処理装置。
【請求項９】
前記ソースパターンが予め決められている場合、そのソースパターンとマスク演算するマスクパターンのテーブルを有することを特徴とする請求項３ないし８のいずれか１項に記載の画像処理装置。
【請求項１０】
前記ソースパターンは、疑似階調を表現するディザパターンであることを特徴とする請求項９記載の画像処理装置。
【請求項１１】
前記ディザパターンが描画対象となる図形の種類毎のディザパターンであって、ディザパターン毎にマスクパターンを切り替えることを特徴とする請求項１０記載の画像処理装置。
【請求項１２】
前記ディザパターンがＣＭＹＫそれぞれの疑似階調を表現するディザパターンであって、ＣＭＹＫの全てに対してマスクパターンをマスク演算したパターンにおけるビットＯＮ画素数が最大になるような前記マスクパターンの開始位置を計算することを特徴とする請求項１０または１１記載の画像処理装置。
【請求項１３】
前記ディザパターンの濃度毎に前記マスクパターンの開始位置を計算することを特徴とする請求項１０または１１記載の画像処理装置。
【請求項１４】
前記マスクパターンがトナーやインク等の印刷色材を節約するためのパターンであることを特徴とする請求項１から１３のいずれか１項に記載の画像処理装置。
【請求項１５】
前記ビットマップパターンの１画素が多値で表現されることを特徴とする請求項１から１４のいずれか１項に記載の画像処理装置。
【請求項１６】
前記計算された開始位置にずらしたマスクパターンと前記ビットマップパターンとをマスク演算した結果の出力先がレーザプリンタであることを特徴とする請求項１から１５のいずれか１項に記載の画像処理装置。
【請求項１７】
前記計算された開始位置にずらしたマスクパターンと前記ビットマップパターンとをマスク演算した結果の出力先がインクジェットプリンタであることを特徴とする請求項１から１５のいずれか１項に記載の画像処理装置。
【請求項１８】
請求項１ないし１７のいずれか１項に記載の画像処理装置を備えていることを特徴とする画像形成装置。
【請求項１９】
請求項１ないし１７のいずれか１項に記載の画像処理装置と、
描画データを入力するデータ入力装置と、
前記画像処理装置によって処理された画像データに基づいて記録媒体に可視画像を出力する出力装置と、
を備えてなる画像出力システム。
【請求項２０】
画像データのソースパターンをマスクパターンでマスク演算する画像処理方法において、
前記ソースパターンとマスクパターンをマスク演算したパターンにおけるビットＯＮ画素数が最大になるような前記マスクパターンの開始位置を計算し、
前記計算によって得られた開始位置にずらしたマスクパターンと前記ソースパターンとをマスク演算することを特徴とする画像処理方法。
【請求項２１】
画像データのソースパターンをマスクパターンでマスク演算する画像処理方法において、
前記ソースマップパターンとマスクパターンをマスク演算したパターンにおける濃度と、描画命令で指定された濃度との差分が最小になるようなマスクパターンの開始位置を計算し、
前記計算によって得られた開始位置にずらしたマスクパターンと前記ソースパターンとをマスク演算することを特徴とする画像処理方法。
【手続補正３】
【補正対象書類名】明細書
【補正対象項目名】０００１
【補正方法】変更
【補正の内容】
【０００１】
【発明の属する技術分野】
本発明は、画像データをマスクパターンでマスクする画像処理装置、当該画像処理装置を備えた画像形成装置、前記画像処理装置で画像処理された画像を出力する画像出力システム及び画像データをマスクパターンでマスクする画像処理方法に関する。
【手続補正４】
【補正対象書類名】明細書
【補正対象項目名】０００６
【補正方法】変更
【補正の内容】
【０００６】
【発明が解決しようとする課題】
本発明は上記従来例の問題点に鑑み、画像データをマスクパターンでマスクする場合に、画像が全く印刷されないことを防止することができる画像処理装置、画像形成装置、画像出力システム、及び画像形成方法を提供することを目的とする。
【手続補正５】
【補正対象書類名】明細書
【補正対象項目名】００２４
【補正方法】変更
【補正の内容】
【００２４】
第１８の手段は、請求項１ないし１７のいずれか１項に記載の画像処理装置を画像形成装置が備えていることを特徴とする。
第１９の手段は、第１ないし第１７のいずれかの手段に係る画像処理装置と、描画データを入力するデータ入力装置と、前記画像処理装置によって処理された画像データに基づいて記録媒体に可視画像を出力する出力装置とから画像出力システムを構成したことを特徴とする。
第２０の手段は、画像データのソースパターンをマスクパターンでマスク演算する画像処理方法において、前記ソースパターンとマスクパターンをマスク演算したパターンにおけるビットＯＮ画素数が最大になるような前記マスクパターンの開始位置を計算し、前記計算によって得られた開始位置にずらしたマスクパターンと前記ソースパターンとをマスク演算することを特徴とする。
第２１の手段は、画像データのソースパターンをマスクパターンでマスク演算する画像処理方法において、前記ソースマップパターンとマスクパターンをマスク演算したパターンにおける濃度と、描画命令で指定された濃度との差分が最小になるようなマスクパターンの開始位置を計算し、前記計算によって得られた開始位置にずらしたマスクパターンと前記ソースパターンとをマスク演算することを特徴とする。